(57)【要約】【課題】イメージセンサの副走査方向の移動に影響する原稿台ガラスの撓みを検知し、イメージセンサを移動させる構成に不具合を発生させることを防止すること。【解決手段】本発明の原稿読取装置は、原稿台と、前記原稿台を介して前記原稿台上の原稿を読み取る読取手段と、前記読取手段を支持し、前記原稿台の副走査方向に対して移動可能な支持手段と、前記原稿台の変形が、前記支持手段の移動に不具合を生じさせることに対応する所定の範囲以上であるか否かを検知可能な検知手段と、前記原稿台の変形が、前記所定の範囲以上であることを前記検知手段が検知した場合に、前記支持手段の副走査方向への移動を停止または前記原稿台への押圧を警告する制御手段と、を有する【選択図】図９
2015162687.tif 000002
【特許請求の範囲】
【請求項１】
原稿台と、
前記原稿台を介して前記原稿台上の原稿を読み取る読取手段と、
前記読取手段を支持し、前記原稿台の副走査方向に対して移動可能な支持手段と、
前記原稿台の変形が、前記支持手段の移動に不具合を生じさせることに対応する所定の範囲以上であるか否かを検知可能な検知手段と、
前記原稿台の変形が、前記所定の範囲以上であることを前記検知手段が検知した場合に、前記支持手段の副走査方向への移動を停止または前記原稿台への押圧を警告する制御手段と、
を有することを特徴とする原稿読取装置。
【請求項２】
請求項１に記載の原稿読取装置であって、
前記支持手段は、前記読取手段を前記原稿台に接近する方向へ付勢する弾性部材をさらに備え、
前記弾性部材の可動範囲を超えたときに、前記原稿台の変形が、前記所定の範囲以上であると検知することを特徴とする原稿読取装置。
【請求項３】
請求項１または請求項２に記載の原稿読取装置であって、
前記検知部材は、
互いに対向するように前記支持手段に設けられた発光素子と受光素子とを備え、
前記発光素子は前記支持手段の一方側部側に配置され、前記受光素子は前記支持手段の他方側部側に配置され、
前記発光素子と前記受光素子の光軸を、前記読取手段が遮断したことに応じて前記原稿台の変形が前記所定の範囲以上であることを検知することを特徴とする原稿読取装置。
【請求項４】
請求項１乃至３のいずれか１項に記載の原稿読取装置であって、
前記検知手段の検知結果に基づいて、所定の報知を行う報知手段をさらに備え、
当該報知手段は、前記原稿台の変形が前記所定の範囲以上であるときに前記原稿台の押圧を警告することを特徴とする原稿読取装置。
【請求項５】
請求項１乃至４のいずれか１項に記載の原稿読取装置であって、
前記読取手段は、密着型イメージセンサを備えることを特徴とする原稿読取装置。
【請求項６】
請求項１乃至５のいずれか１項に記載の原稿読取装置と、
前記原稿読取装置によって読み取られた画像を記録媒体に記録する画像形成手段と、を備えることを特徴とする画像形成装置。
【発明の詳細な説明】
【技術分野】
【０００１】
本発明は、原稿読取装置及び画像形成装置に関する。
【背景技術】
【０００２】
原稿読取装置は、例えば、複写機の一部を構成する装置として知られている。原稿読取装置で使用されるイメージセンサとしては、密着型イメージセンサ（Contact Image Sensor。以下、ＣＩＳと略す場合がある。）やＣＣＤイメージセンサが知られている。ＣＩＳはＣＣＤイメージセンサに比べて、装置の小型化が可能であり、駆動系の簡略化も可能である。また、読取画像に関しては、縮小光学系による歪みが発生しないといった利点もある。その一方、ＣＩＳは焦点深度が浅く、ＣＩＳを支持する構成に精度が出ていないとピンボケを生じる場合がある。
【０００３】
原稿台のプラテンガラス上に原稿を載置して原稿を読み取る、いわゆるブックスキャンタイプの原稿読取装置では、本や辞書等の厚い原稿を読み取る際、原稿を圧板で押圧する力が強いと、原稿台に撓みを生じる場合がある。ＣＩＳのような焦点深度が浅いイメージセンサでは、この撓みがピンボケを生じる原因となる。その解決策として、例えば、特許文献１には、原稿台ガラスにかかる荷重を測定する圧力センサを設け、その測定データに対応してデジタルフィルタによるエッジ強調量を変化させることで読取画像の補正を行うものが提案されている。
【先行技術文献】
【特許文献】
【０００４】
【特許文献１】特開２００２−１９９２２２号公報
【発明の概要】
【発明が解決しようとする課題】
【０００５】
特許文献１の構成では、イメージセンサの副走査方向の移動に支障を来たす程に原稿台ガラスが変形してしまう場合を考慮していない。そのため、原稿台ガラスへの押圧が強い場合に、原稿台ガラスに当接しているイメージセンサが原稿台ガラスの撓みによって押圧されることで副走査方向へ移動しにくくなり、イメージセンサを移動させるモータが脱調したり、そのための構成が破損してしまう場合がある。
【０００６】
本発明の目的は、イメージセンサの副走査方向の移動に影響する原稿台ガラスの撓みを検知し、イメージセンサを移動させる構成に不具合を発生させることを防止することにある。
【課題を解決するための手段】
【０００７】
本発明によれば、例えば、原稿台と、前記原稿台を介して前記原稿台上の原稿を読み取る読取手段と、前記読取手段を支持し、前記原稿台の副走査方向に対して移動可能な支持手段と、前記原稿台の変形が、前記支持手段の移動に不具合を生じさせることに対応する所定の範囲以上であるか否かを検知可能な検知手段と、前記原稿台の変形が、前記所定の範囲以上であることを前記検知手段が検知した場合に、前記支持手段の副走査方向への移動を停止または前記原稿台への押圧を警告する制御手段と、を有することを特徴とする原稿読取装置が提供される。
【発明の効果】
【０００８】
本発明によれば、イメージセンサを移動させる構成に不具合を発生させることを防ぐことができる。
【図面の簡単な説明】
【０００９】
【図１】本発明の実施形態に係る画像形成装置のブロック図。
【図２】図１の画像形成装置の操作部の平面図。
【図３】本発明の実施形態に係る原稿読取装置の平面図。
【図４】図３のＡ−Ａ線断面図。
【図５】（Ａ）及び（Ｂ）は押圧力によるプラテンガラスの撓み態様を示す図。
【図６】（Ａ）〜（Ｃ）はセンサの検知例を示す図。
【図７】（Ａ）〜（Ｃ）はセンサの検知例を示す図。
【図８】原稿読取処理のフローチャート。
【図９】報知例の説明図。
【発明を実施するための形態】
【００１０】
図１は本発明の実施形態に係る画像形成装置１００のブロック図である。画像形成装置１００は、原稿読取装置（画像入力装置）２００と、プリンタ３００と、制御装置１１０とを備えている。原稿読取装置２００は、原稿画像を光学的に読み取り、画像データに変換する。原稿読取装置２００は、原稿を読み取るための読取ユニット２１０と、原稿を搬送するための自動原稿供給ユニット（ＡＤＦ）２５０とを有している。
【００１１】
プリンタ（画像出力装置）３００は、記録媒体を搬送し、その記録媒体上に原稿読取装置２００によって読み取られた画像を記録媒体に記録する。記録媒体は、ここでは、シート状の記録紙であり、プリンタ３００はその記録紙上に画像データを可視画像として印字して装置外に排出するようになっている。
【００１２】
プリンタ３００は、複数種の記録紙カセットを有する給紙ユニット３６０と、画像データを記録紙に転写、定着させるためのマーキングユニット３２０と、印字された記録紙を機外へ排紙するための排紙ユニット３３０と、フィニッシャ５００とを有している。なお、フィニッシャ５００は、ステープル処理およびソート処理を行うようになっているが、必ずしも必要としない。
【００１３】
制御装置１１０は、ＣＰＵ１２０と、ＲＯＭ１２１と、ＲＡＭ１２２とを含む。ＲＯＭ１２１にはＣＰＵ１２０が実行するプログラム等が記憶される。ＲＡＭ１２２には一時的なデータが記憶される。ＣＰＵ１２０はＲＯＭ１２１に記憶されたプログラムを実行して、原稿読取装置２００およびプリンタ３００を制御する。
【００１４】
制御装置１１０は、ネットワーク（以下、ＬＡＮ（Ｌｏｃａｌ  Ａｒｅａ  Ｎｅｔｗｏｒｋ）という）７００を介して、ホストコンピュータ（ＰＣ）７０１、７０２にも接続されている。制御装置１１０は、ＦＡＸ回線１２８と接続されるモデム（図示せず）を内蔵している。
【００１５】
制御装置１１０は、原稿読取装置２００とプリンタ３００とを制御して、記録紙に原稿の画像を複写するようになっている。複写機能は、原稿読取装置２００で原稿を読み取り、プリンタ３００で原稿の読み取りによって得られた画像データを記録紙に出力するものである。また、制御装置１１０は、原稿読取装置２００から得られた画像データをコードデータに変換し、ＬＡＮ７００を介してホストコンピュータ７０１、７０２へ送信するスキャナ機能を備えている。
【００１６】
さらに、制御装置１１０は、ホストコンピュータ７０１、７０２からＬＡＮ７００を介して受信したコードデータを画像データに変換し、プリンタ３００に出力するプリンタ機能も備えている。また、制御装置１１０には操作部１５０が接続されている。操作部１５０は、例えば、液晶タッチパネルなどの表示板を備えて、画像形成装置１００を操作するためのユーザインタフェースとして機能する。
【００１７】
図２は操作部１５０の平面図である。操作部１５０は、主なモード設定、状況表示を行うためのＬＣＤタッチパネル６００と、各種キー６０１乃至６０８、６１０乃至６１５と、ソフト電源スイッチ６０９と、各種ＬＥＤ６１６乃至６１８と、が設けられている。
【００１８】
キー６０１は、０乃至９までの数値を入力するためのテンキーである。キー６０２はＩＤキーであり、装置が部門管理されている場合に部門番号と暗証モードとを入力する際に使用されるキーである。キー６０３は、設定されたモードをリセットするためのリセットキーである。キー６０４は、各モードについての説明画面を表示するためのガイドキーである。キー６０５は、ユーザモード画面に入るためのユーザモードキーである。キー６０６は、割り込みコピーを行うための割り込みキーである。キー６０７は、コピー動作をスタートさせるためのスタートキーである。キー６０８は実行中のコピージョブを中止させるためのストップキーである。
【００１９】
ソフト電源スイッチ６０９は、装置を低電力状態にするためのスイッチである。ソフト電源スイッチ６０９は、ユーザーによって押されると、ＬＣＤタッチパネル６００のバックライトを消して、装置を低電力状態にするキーである。キー６１０は、節電キーであり、ユーザーによって押されると、装置が節電状態になり、再度押されると、装置が節電状態から復帰する。
【００２０】
ファンクションキー６１１、６１２、６１３は、コピー、ボックス、拡張機能に移行させるためのキーである。ＬＣＤタッチパネル６００は、ユーザーがファンクションキー６１１を押したときの標準画面であり、ユーザーが他のファンクションキー６１２、６１３を押すと、各キーに対応した機能の標準画面に変わるようになっている。キー６１４は、ＬＣＤタッチパネル６００のコントラストを調整するための調整キーである。キー６１５は、カウンタ確認キーであり、ユーザーがこのキーを押すと、それまでに使用したコピーの集計枚数を表示するカウント画面がＬＣＤタッチパネル６００に表示される。ＬＥＤ６１６は、ジョブの実行中、画像メモリへの画像蓄積中を示すＬＥＤである。ＬＥＤ６１７は、ジャム、ドアオープンなど、装置がエラー状態にあることを示すエラーＬＥＤである。ＬＥＤ６１８は、装置のメインスイッチがＯＮになっていることを示す電源ＬＥＤである。
【００２１】
次に、原稿読取装置２００の構成を図３及び図４を参照して説明する。図３は原稿読取装置２００の平面図であり、圧板８を透過して示した図である。図４は図３のＡ−Ａ線断面図である。各図において、矢印Ｘ及びＹは互いに直交する水平方向を示し、特に、Ｘは主走査方向、Ｙは副走査方向を示している。矢印Ｚは垂直方向を示している。なお、各図において、ＡＤＦ２５０は図示を省略している。
【００２２】
原稿読取装置２００は、原稿台Ｔと、圧板８と、走査ユニットＳＣＵと、移動機構ＤＭと、スペーサ２と、弾性部材５と、センサ２０１とを含む。原稿台Ｔは、水平に配置されたプラテンガラス３を含み、書籍などの原稿７がプラテンガラス３上に載置される。プラテンガラス３はその周縁部がフレームＦにより支持されている。圧板８はフレームＦに回動自在に支持され、プラテンガラス３を覆う閉位置と、プラテンガラス３を開放する開位置との間で開閉可能である。
【００２３】
走査ユニットＳＣＵは、プラテンガラス３の下方に配置され、読み取り手段としての読取ユニット２１０と、支持手段としての支持ユニット４とを含む。読取ユニット２１０は、支持体２１１と、イメージセンサ１と、セルフォックレンズ１１と、ＬＥＤ１３と、を備える。支持体２１１は上方が開放した箱型をなし、Ｘ方向に延設されている。イメージセンサ１は、ここでは密着型イメージセンサであり、支持体２１１の底部にＸ方向に延設されている。ＬＥＤ１３の光の原稿からの反射光はセルフォックレンズ１１で集光され、イメージセンサ１で受光される。これによりプラテンガラス３上の原稿の画像がプラテンガラス３の下方から読み取られる。
【００２４】
支持ユニット４は、上方が開放した箱型をなしており、Ｘ方向に延設されている。支持ユニット４の内側には読取ユニット２１０が配置される。支持ユニット４のＸ方向両端部には、それぞれ、Ｚ方向に延びる軸４ａが立設されている。支持体２１１のＸ方向両端部には、それぞれ、軸４ａが挿通する孔部が形成されている。これらの構成により、読取ユニット２１０はプラテンガラス３に対して近接・離間方向に変位自在に支持ユニット４に支持される。
【００２５】
弾性部材５は本実施形態の場合、コイルバネであり、各軸４ａに挿通されて支持ユニット４と読取ユニット２１０との間に装填されている。弾性部材５は読取ユニット２１０をプラテンガラス３に対して近接する方向に常時付勢する。なお、弾性部材５はコイルバネに限られず、ゴム等であってもよい。
【００２６】
スペーサ２は、読取ユニット２１０に設けられ、読取ユニット２１０とプラテンガラス３との間隔を規定する。本実施形態の場合、スペーサ２は支持体２１１からＺ方向に突出しており、その上端がプラテンガラス３の裏面に当接する。弾性部材５の付勢により、読取ユニット２１０はプラテンガラス３側に付勢されるが、スペーサ２がプラテンガラス３に当接することで、プラテンガラス３上の原稿がセルフォックレンズ１１の焦点深度内に収まるようにしている。
【００２７】
本実施形態の場合、スペーサ２は４つ設けられている。４つのスペーサ２は、２組に分けることができる。２組のスペーサ２はＸ方向に互いに離間しておりその中間の位置にプラテンガラス３の中央が位置している。各組の２つのスペーサ２は互いにＹ方向に離間している。スペーサ２の上端は球状に形成され、プラテンガラス３との摩擦を軽減する。
【００２８】
センサ２０１は、プラテンガラス３の撓み状態を検知するために設けられている。本実施形態の場合、センサ２０１は、支持ユニット４に対する読取ユニット２１０のＺ方向の位置を検知するものであるが、プラテンガラス３の撓みを直接検知するもの等、プラテンガラス３の撓みを検知可能であればよい。
【００２９】
本実施形態の場合、センサ２０１は互いに対向するように支持ユニット４に設けられた発光素子２０１Ａと受光素子２０１Ｂとを備える光学センサである。しかし、レーザーや超音波等を用いたセンサでもよい。
【００３０】
発光素子２０１Ａと受光素子２０１Ｂとは、プラテンガラス３の架設部分（フレームＦに支持されていない部分）のＸ方向の幅Ｗの中心位置下方に配置されている。発光素子２０１Ａと受光素子２０１ＢとはＹ方向に互いに離間して支持ユニット４に固定されている。発光素子２０１Ａは読取ユニット２１０のＹ方向の一方側部側に、受光素子２０１Ｂは読取ユニット２１０のＹ方向の他方側部側に、それぞれ配置されている。平面視では、発光素子２０１Ａと受光素子２０１Ｂとの間に読取ユニット２１０が位置している。
【００３１】
発光素子２０１Ａと受光素子２０１Ｂとは、その光軸２０を読取ユニット２１０の支持体２１１が遮断するか否かによって、読取ユニット２１０のＺ方向の位置を検知する。本実施形態の場合、通常時は支持体２１１が光軸２０を遮断せず、読取ユニット２１０が支持ユニット４に対してプラテンガラス３から離間する方向に所定量変位すると、支持体２１１が光軸２０を遮断してこれを検知するように、センサ２０１が配置されている。
【００３２】
移動機構ＤＭは、支持ユニット４をプラテンガラス３に沿ってＹ方向に移動する機構である。本実施形態の場合、移動機構ＤＭはベルト伝動機構であるが、これに限られず、ラック−ピニオン機構等、別の機構であってもよい。
【００３３】
移動機構ＤＭは、案内軸６と、駆動源９と、一対のプーリ１０ａと、タイミングベルト１０と、を備える。案内軸６はプラテンガラス３と平行にＹ方向に延設されており、支持ユニット４の移動を案内する。
【００３４】
一対のプーリ１０ａはＹ方向に離間して配置されており、タイミングベルト１０は一対のプーリ１０ａに巻き回された無端ベルトである。タイミングベルト１０のうち、一対のプーリ１０ａ間の部分はＹ方向に延設される。
【００３５】
駆動源９はここではモータであり、一対のプーリ１０ａの一方を回転駆動する。プーリ１０ａの一方を回転することで、無端ベルト１０が走行し、他方のプーリ１０ａも従動回転する。駆動源９の回転方向を切り替えることで、タイミングベルト１０の走行方向を切り替えることができる。
【００３６】
支持ユニット４は、タイミングベルト１０に連結されており、その走行によってＹ方向に移動する。この結果、読取ユニット２１０もプラテンガラス３と平行にＹ方向に移動し、原稿の副走査方向の読取が可能となる。
【００３７】
次に、プラテンガラス３に加わる押圧によってガラスに歪みが生じる状態を図５（Ａ）および図５（Ｂ）を参照しながら説明する。
【００３８】
一般に、本実施形態のようなブックスキャンタイプの原稿読取装置では、本や辞書等の厚い原稿をプラテンガラス３上に置き、圧板８で押圧すると、プラテンガラス３に下方向の撓みを生じることがある。
【００３９】
図５（Ａ）は、プラテンガラス３の押圧が弱い時の様子を示した図であり、撓みが生じていな状態を示している。また、図５（Ｂ）は、プラテンガラス３の押圧が強い時の様子を示した図であり、プラテンガラス３に撓みが生じている状態を示している。このプラテンガラス３の主走査方向（Ｘ方向）の撓み量は中央部で最大になる。これは、プラテンガラス３の周縁部がフレームＦで支持されているという構造に起因している。
【００４０】
本実施形態の場合、支持ユニット４に対して読取ユニット２１０が上下方向に変位可能である。したがって、プラテンガラス３の撓みに対して、読取ユニット２１０が下方に変位することで、これに追従可能である。しかし、プラテンガラス３の撓み量が読取ユニット２１０の最大変位量を超えると追従できなくなり、読取画像がピンボケしたり、読取ユニット２１０のＹ方向の移動に支障を来す場合がある。
【００４１】
既に述べたとおり、センサ２０１は読取ユニット２１０が所定量変位するとこれを検知するように配置されているが、この所定量は読取ユニット２１０の最大変位量に合わせて設定される。こうして本実施形態では原稿の読み取りに影響する原稿台Ｔの撓み、特にプラテンガラス３の撓みを検知することができる。
【００４２】
図６（Ａ）〜図６（Ｃ）及び図７（Ａ）〜図７（Ｃ）は切断面が異なる原稿読取装置２００の断面図であり、プラテンガラス３の撓みに対するセンサ２０１の検知態様を例示している。図中、線Ｌ１は撓みが無い場合のプラテンガラス３の表面の位置Ｚ方向の位置）を示している。線Ｌ２は、プラテンガラス３の撓みにより支障を来す位置を示している。線ＢＳはプラテンガラス３の最下点を示している。
【００４３】
図６（Ａ）及び図７（Ａ）は、プラテンガラス３への押圧が加えられていない状態を示している。読取ユニット２１０とプラテンガラス３との距離は適切な距離にある。読取ユニット２１０とプラテンガラス３が衝突する可能性は極めて低く、読み取った画像にピンボケが発生する可能性も低い。センサ２０１の光軸２０に対して読取ユニット２１０の高さは十分な余裕がある。
【００４４】
図６（Ｂ）及び図７（Ｂ）は、プラテンガラス３への押圧が弱めに加えられた状態を示している。プラテンガラス３の撓みによりスペーサ２を介して読取ユニット２１０が押し下げられ、弾性部材５が縮み、読取ユニット２１０と支持ユニット４との距離が近くなっている。読取ユニット２１０がセンサ２０１の光軸２０に近づいているが、まだ余裕があると判断し、読取動作を行う。
【００４５】
図６（Ｃ）及び図７（Ｃ）は、プラテンガラス３への押圧が強めに加えられた状態を示している。図６（Ｂ）及び図７（Ｂ）の場合よりもさらにプラテンガラス３が撓み、読取ユニット２１０と支持ユニット４との距離が近くなり、センサ２０１の光軸２０に達している。これがセンサ２０１で検知され、検知結果に基づいて読取を中止し、ユーザに対して所定の報知を行うことになる。
【００４６】
次に、制御手段としてのＣＰＵ１２０が実行する原稿読取装置２００の制御例について図８を参照して説明する。図８は原稿の読み取り開始がユーザにより指示された場合の処理例を示している。
【００４７】
Ｓ１では、センサ２０１の出力がオンか否かを判定する。読取ユニット２１０の降下量が、図６（Ｃ）及び図７（Ｃ）の状態に達している場合をオンとする。該当する場合はプラテンガラス３に対するユーザの押圧が強いと判断しＳ４へ進み、該当しない場合は原稿の読み取りが可能であると判断してＳ２へ進む。
【００４８】
Ｓ２では一ライン分原稿を読み取る。読み取った画像に対しては画像処理を行ってもよい。Ｓ３では原稿の読み取りが完了したか否かを判定する。該当する場合は一単位の処理を終了し、該当しない場合は操作ユニットＳＣＵを副走査方向に移動してＳ１へ戻る。
【００４９】
Ｓ４では、原稿の読み取り途中か否かを判定する。該当する場合はＳ５へ進み、該当しない場合はＳ６へ進む。Ｓ５では支持ユニット４の副走査方向への移動を停止させ、原稿の読み取りを中止し、走査ユニットＳＣＵをホームポジションに移動する。
【００５０】
Ｓ６では報知処理を行う。報知の態様は音、光、画像等、いずれでもよい。ここでは操作部１５０によりエラーの発生を報知する。図９はＬＣＤタッチパネル６００に表示される報知例を示す。同図の報知例は、ユーザに対して警告としてプラテンガラス３の押圧を解除する旨、報知されており、押圧の解除を促すことができる。また、読取処理を再試行するか中止するかを選択させるためのボタン６１９、６２０が表示されている。
【００５１】
Ｓ６にてエラーの発生を報知した後、Ｓ７にて、ユーザが再試行を選択したか否かを判断する。ユーザが再試行を選択した場合（Ｓ７のＹｅｓ）はＳ１へ戻って同様の処理を繰り返す。ユーザが再試行を選択していない場合（Ｓ７のＮｏ）、即ち中止を選択した場合は、一連の処理を終了する。
【００５２】
以上のように、本実施形態では、読取ユニット２１０およびの下降量が、支持ユニット４に対して所定以上であるか否かを検知することで、プラテンガラス３が撓んでいるか否かを判定することができる。
【００５３】
また、プラテンガラス３が所定以上撓んでいる場合にイメージセンサを通常通り走査させると、プラテンガラス３に当接しているイメージセンサがプラテンガラス３の撓みによって押圧され、脱調もしくはそのための構成が破損してしまうおそれがある。そこで本実施形態では、プラテンガラス３が所定以上撓んでいる場合には読取動作を停止させることで、イメージセンサの副走査方向の移動に影響するプラテンガラス３の撓みを検知することができる。従って、プラテンガラス３への押圧が強い場合に支持ユニット４が移動機構ＤＭから脱調もしくは移動機構ＤＭが破損することを防止することができる。
【００５４】
また、プラテンガラス３が所定以上撓んでいる場合に、ユーザへプラテンガラス３が撓んでいる旨の警告を報知することで、ユーザがプラテンガラス３への押圧を解除することができる。そのため、適切な原稿画像を読み取ることができ、適切な画像形成を行うことができる。
【００５５】
以上で説明した実施形態では、読取手段としてＣＩＳを用いているが、ＣＣＤ等その他の読取手段を用いてもよい。
【図１】
2015162687.tif 000003
【図２】
2015162687.tif 000004
【図３】
2015162687.tif 000005
【図４】
2015162687.tif 000006
【図５】
2015162687.tif 000007
【図６】
2015162687.tif 000008
【図７】
2015162687.tif 000009
【図８】
2015162687.tif 000010
【図９】
2015162687.tif 000011